(57)【特許請求の範囲】
【請求項１】
平面モード及び曲面モードを具現できる可とう性表示パネルと、
前記可とう性表示パネルの荷重を支持するパネル支持部と、
前記可とう性表示パネルの一側に備えられ、前記平面モード及び前記曲面モードの切り換え過程においては前記可とう性表示パネルの形状を変形させ、前記平面モード及び前記曲面モードの切り換えが完了した段階においては前記可とう性表示パネルに剛性を保持させる形状変形／保持部と、を備え、
前記平面モードにおける前記可とう性表示パネルの視聴者と前記可とう性表示パネルの端部との距離よりも、前記曲面モードにおける前記平面モードと同じ位置にいる視聴者と前記端部との距離の方が狭められ、
前記可とう性表示パネルは、地面と平行に延びた第１及び第２長辺部、並びに、前記第１及び第２長辺部と略垂直に延びた第１及び第２短辺部を備え、
前記可とう性表示パネルは、曲面モードにおいて前記第１及び第２短辺部に近くなるほど曲面の反り具合が増加し、
前記曲面モードにおいて、前記可とう性表示パネルの中心部分から前記第１短辺部までの曲面の反り具合が、当該中心部分から前記第２短辺部での曲面の反り具合よりも大きい、表示装置。
【請求項２】
平面モード及び曲面モードを具現できる可とう性表示パネルと、
前記可とう性表示パネルの荷重を支持するパネル支持部と、
前記可とう性表示パネルの一側に備えられ、前記平面モード及び前記曲面モードの切り換え過程においては前記可とう性表示パネルの形状を変形させ、前記平面モード及び前記曲面モードの切り換えが完了した段階においては前記可とう性表示パネルに剛性を保持させる形状変形／保持部と、を備え、
前記平面モードにおける前記可とう性表示パネルの視聴者と前記可とう性表示パネルの端部との距離よりも、前記曲面モードにおける前記平面モードと同じ位置にいる視聴者と前記端部との距離の方が狭められ、
前記可とう性表示パネルは、地面と垂直に延びた第１及び第２長辺部、並びに、前記第１及び第２長辺部と略垂直に延びた第１及び第２短辺部を備え、
前記可とう性表示パネルは、曲面モードにおいて、前記第１及び第２短辺部のうち垂直方向における上部に配された短辺部に近付くほど曲面の反り具合が増加する、表示装置。
【請求項３】
前記可とう性表示パネルの荷重を支持するパネル支持部をさらに備え、
前記パネル支持部は、
前記可とう性表示パネルと結合される軸台部と、
前記軸台部に結合されて床面に水平に装着される基底部と、
前記軸台部と前記基底部との間に介在されて、前記可とう性表示パネルの中心部分の位置を前記床面に水平に、第１方向及びこれに垂直の第２方向に移動させる移動ガイド部と、を備える請求項１または２に記載の表示装置。
【請求項４】
前記可とう性表示パネルの中心部分は、地面に垂直な方向に移動される、請求項２に記載の表示装置。
【請求項５】
前記形状変形／保持部は、多重に分割された複数の第１電極と、当該複数の第１電極に対向する共通電極である第２電極と、前記第１電極と前記第２電極との間に配設されるアクチュエータと、を備え、前記アクチュエータに印加される電圧によって、前記平面モード及び前記曲面モードを切り換える前記アクチュエータの形状が定められる、請求項１〜４のいずれか一項に記載の表示装置。
【請求項６】
前記形状変形／保持部は、前記アクチュエータの形状が切り換えられる電圧レベルでは柔軟性を有し、当該形状が切り換えられない電圧レベルでは剛性を有する、請求項５に記載の表示装置。
【請求項７】
前記可とう性表示パネルは、第１可とう性基板、前記第１可とう性基板と対向する第２可とう性基板、及び前記第１可とう性基板と前記第２可とう性基板との間に配設される有機発光素子を備える、請求項１〜６のいずれか一項に記載の表示装置。
【請求項８】
前記可とう性表示パネルが平面モードまたは曲面モードを具現するように前記形状変形／保持部を制御する制御部をさらに備え、
前記制御部は、顔面認識センサー、瞳孔認識センサー及び動作認識センサーのうちのいずれか一つによりセンシングされた人体の動きに基づいて前記可とう性表示パネルの曲面の反り具合を制御する請求項１〜７のいずれか一項に記載の表示装置。
【請求項９】
前記可とう性表示パネルは、液晶素子または有機発光素子を備える、請求項１〜８のいずれか一項に記載の表示装置。
【発明の詳細な説明】
【技術分野】
【０００１】
本発明は、平面モード及び曲面モードの具現が可能な可とう性表示パネルを備える表示装置に関する。
【背景技術】
【０００２】
生活水準の向上につれて、テレビなどの表示装置においては、その大型化が進んでいる。一般的に、大画面の表示装置としては平面の画面を有する装置が主になっているが、このような平面の大画面を有する表示装置においては、画面の端部側へ行くほど視聴者の没入感が低下する。
【先行技術文献】
【特許文献】
【０００３】
【特許文献１】特開２００３−２８０５４６号公報
【発明の概要】
【発明が解決しようとする課題】
【０００４】
そこで、本発明は、上記問題及びその関連する問題に鑑みてなされたものであり、本発明の目的とするところは、平面モード及び曲面モードの具現が可能な可とう性表示パネルを備える表示装置を提供することを目的とする。
【課題を解決するための手段】
【０００５】
本発明の一側面によれば、平面モード及び曲面モードを具現できる可とう性表示パネルと、前記可とう性表示パネルの一側に備えられ、平面モード及び曲面モードの切り換え過程において前記可とう性表示パネルの形状を変形させ、平面モード及び曲面モードの相互の切り換えが完了した段階において前記可とう性表示パネルに剛性を保持させる形状変形／保持部と、を備える、表示装置が提供される。
【０００６】
また、前記形状変形／保持部は、前記可とう性表示パネルの映像が表示される面の反対側の面に配設されてもよい。
【０００７】
また、前記曲面モードにおいて、前記可とう性表示パネルの水平方向における前記可とう性表示パネルの中心部分から両側端部までの曲面の反り具合が、当該中心部分に対して対称であってもよい。
【０００８】
また、前記曲面モードにおいて、前記可とう性表示パネルの水平方向における前記可とう性表示パネルの中心部分から一側端部までの曲面の反り具合が、当該水平方向における当該中心部分から他側端部までの曲面の反り具合よりも大きくてもよい。
【０００９】
また、前記曲面モードにおいて、前記可とう性表示パネルの垂直方向の一側端部に近付くほど曲面の反り具合が増加してもよい。
【００１０】
また、前記形状変形／保持部は、多重に分割された複数の第１電極と、複数の当該第１電極に対向する共通電極である第２電極と、前記第１電極と前記第２電極との間に配設されるアクチュエータと、を備え、前記アクチュエータに印加される電圧によって、平面モード及び曲面モードを切り換える前記アクチュエータの形状が定められてもよい。
【００１１】
また、前記形状変形／保持部は、前記アクチュエータの形状が切り換えられる電圧レベルでは柔軟性を有し、前記アクチュエータの形状が切り換えられない電圧レベルでは剛性を有してもよい。
【００１２】
また、前記可とう性表示パネルの荷重を支持するパネル支持部をさらに備えてもよい。
【００１３】
また、前記パネル支持部は、前記可とう性表示パネルの中心部分の空間上での位置を移動させる移動ガイド部をさらに備えてもよい。
【００１４】
また、前記パネル支持部は、前記可とう性表示パネルの中心部分の位置を平面内で移動させてもよい。
【００１５】
また、前記パネル支持部は、前記可とう性表示パネルの中心部分の位置を平面内において互いに垂直な方向に移動させてもよい。
【００１６】
また、前記可とう性表示パネルは、液晶素子または有機発光素子を備えてもよい。
【００１７】
また、本発明の他の側面によれば、可とう性表示パネルと、前記可とう性表示パネルの一側に備えられた形状変形／保持部と、前記可とう性表示パネルが平面モードまたは曲面モードを具現するように前記形状変形／保持部を制御する制御部と、を備える表示装置が提供される。
【００１８】
また、前記制御部は、前記形状変形／保持部を制御し、平面モード及び曲面モードの切り換え過程において前記可とう性表示パネルの形状を変形させ、平面モード及び曲面モードの切り換えが完了した段階において前記可とう性表示パネルに剛性を保持させてもよい。
【００１９】
また、前記制御部は、前記形状変形／保持部の位置毎に印加される電圧の値を調節することにより、前記可とう性表示パネルの曲面の反り具合を制御してもよい。
【００２０】
また、前記表示装置は、前記可とう性表示パネルの荷重を支持するパネル支持部をさらに備え、前記制御部は、前記パネル支持部を移動させることにより前記可とう性表示パネルの中心部分の空間上での移動を制御してもよい。
【００２１】
また、前記制御部は、平面モードにおける前記可とう性表示パネルを観察する視聴者と前記可とう性表示パネルの端部との距離よりも、曲面モードにおける前記視聴者と前記端部との距離の方が狭くなるように前記可とう性表示パネルの曲率及び中心部分の位置を制御してもよい。
【００２２】
また、前記制御部は、遠隔調整器から送信される制御命令によって制御されてもよい。
【００２３】
また、前記制御部は、人体の動きに基づいて前記可とう性表示パネルの曲面の反り具合を制御してもよい。
【００２４】
また、前記人体の動きをセンシングするセンサーをさらに備えてもよい。
【００２５】
また、前記センサーは、顔面認識センサー、瞳孔認識センサー及び動作認識センサーのうちのいずれか一つであってもよい。
【００２６】
また、本発明の更に他の側面によれば、平面モード及び曲面モードを具現できる可とう性表示パネルと、前記可とう性表示パネルの荷重を支持するパネル支持部と、前記可とう性表示パネルの一側に備えられ、前記平面モード及び前記曲面モードの切り換え過程においては前記可とう性表示パネルの形状を変形させ、前記平面モード及び前記曲面モードの切り換えが完了した段階においては前記可とう性表示パネルに剛性を保持させる形状変形／保持部と、を備え、前記平面モードにおける前記可とう性表示パネルの視聴者と前記可とう性表示パネルの端部との距離よりも、前記曲面モードにおける前記平面モードと同じ位置にいる視聴者と前記端部との距離の方が狭められる、表示装置が提供される。
【００２７】
また、前記可とう性表示パネルは、地面と平行に延びた第１及び第２長辺部、並びに、前記第１及び第２長辺部と略垂直に延びた第１及び第２短辺部を備え、前記可とう性表示パネルは、曲面モードにおいて前記第１及び第２短辺部に近くなるほど曲面の反り具合が増加してもよい。
【００２８】
また、前記曲面モードにおいて、前記可とう性表示パネルの中心部分から前記第１及び第２短辺部までの曲面の反り具合が、当該中心部分に対して対称であってもよい。
【００２９】
また、前記曲面モードにおいて、前記可とう性表示パネルの中心部分から前記第１短辺部までの曲面の反り具合が、当該中心部分から前記第２短辺部での曲面の反り具合よりも大きくてもよい。
【００３０】
また、前記可とう性表示パネルは、地面と垂直に延びた第１及び第２長辺部、並びに、前記第１及び第２長辺部と略垂直に延びた第１及び第２短辺部を備え、前記可とう性表示パネルは、曲面モードにおいて、前記第１及び第２短辺部のうち垂直方向における上部に配された短辺部に近付くほど曲面の反り具合が増加してもよい。
【００３１】
また、前記可とう性表示パネルの中心部分は、地面に垂直な方向に移動されてもよい。
【００３２】
また、前記形状変形／保持部は、多重に分割された複数の第１電極と、当該複数の第１電極に対向する共通電極である第２電極と、前記第１電極と前記第２電極との間に配設されるアクチュエータと、を備え、前記アクチュエータに印加される電圧によって、前記平面モード及び前記曲面モードを切り換える前記アクチュエータの形状が定められてもよい。
【００３３】
また、前記形状変形／保持部は、前記アクチュエータの形状が切り換えられる電圧レベルでは柔軟性を有し、当該形状が切り換えられない電圧レベルでは剛性を有してもよい。
【００３４】
また、前記可とう性表示パネルは、第１可とう性基板、前記第１可とう性基板と対向する第２可とう性基板、及び前記第１可とう性基板と前記第２可とう性基板との間に配設される有機発光素子を備えてもよい。
【発明の効果】
【００３５】
本発明の実施形態によれば、次のような効果を提供することができる。第１に、可とう性表示パネルを曲面モードにして画面を視聴することにより、視聴者の映像に対する没入感を高めることができる。第２に、可とう性表示パネルの曲面モードと平面モードとが自在に切り換えられることにより、映像の種類に応じた好適なモードを選択することができ、視聴者のニーズを満たすことができる。第３に、視聴しないとき、または当該表示装置の移動時や船積み（ｓｈｉｐｐｉｎｇ）時には、可とう性表示パネルを平面モードに切り換えることにより、表示パネルにおける割れなどの破損を防止することができる。
【図面の簡単な説明】
【００３６】
【図１】本発明の第１実施形態に係る表示装置１の平面モードＦＭ及び曲面モードＣＭを概略的に示す斜視図である。
【図２】図１に示す表示装置１と視聴者Ｖとの位置関係を概略的に示す上面図である。
【図３】図１に示す表示装置１のＩＩＩ−ＩＩＩ線における断面図である。
【図４】図３に示す可とう性表示パネル１１０のＩＶ部分の拡大断面図である。
【図５】図３に示す形状変形／保持部１２０の一例を示す図面である。
【図６】視聴者Ｖが、表示装置１の中心部分Ｃの延長線上から外れて位置している場合における、表示装置１と視聴者Ｖとの位置関係を概略的に示す上面図である。
【図７】表示装置１のパネル支持部１３０の一例を示す図面である。
【図８】本発明の第１実施形態に係る表示装置１の構成を概略的に示す機能ブロック図である。
【図９】本発明の第２実施形態に係る表示装置２の平面モードＦＭ及び曲面モードＣＭを概略的に示す斜視図である。
【図１０】図９に示す表示装置２を概略的に示す側面図である。
【発明を実施するための形態】
【００３７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３８】
本発明は、添付する図面と共に詳細に後述される実施形態を参照することにより明らかなものとなる。しかし、本発明は以下で開示する実施形態によって限定されるものではなく、互いに異なる多様な形態に具現される。本実施形態は本発明の開示を明確なものとし、当業者に本発明に含まれる範囲を明確に知らせるために提供されるものであり、本発明は特許請求の範囲の記載の範疇によって定義されるものである。一方、本明細書において使用される用語は、実施形態を説明するためのものであり、本発明を制限するものではない。本明細書において、単数形で用いられている用語は、文章中で特に言及しない限り、可能な範囲において複数形の意味も含み得る。また、本明細書において使用される「含む」は、言及された構成要素、段階、動作及び／または素子に対する一つ以上の他の構成要素、段階、動作及び／または素子の存在または追加を排除しない。第１、第２等の用語は多様な構成要素の説明に使われるが、当該構成要素はこれらの用語によって限定されてはならない。これらの用語は一つの構成要素を他の構成要素から区別する目的でのみ使用され得る。
【００３９】
以下、添付した図面を参照して本発明の望ましい実施形態について詳細に説明する。
【００４０】
図１は、本発明の第１実施形態に係る表示装置１の平面モードＦＭ及び曲面モードＣＭを概略的に示す斜視図である。また、図２は、図１に示す表示装置１と視聴者Ｖとの位置関係を概略的に示す上面図である。
【００４１】
図１及び図２を参照すると、表示装置１は、平面モードＦＭ（Ｆｌａｔ  Ｍｏｄｅ）と曲面モードＣＭ（Ｃｕｒｖｅｄ  Ｍｏｄｅ）とを選択的に具現可能な可とう性表示パネル１１０（可撓性表示パネル１１０）を備える。
【００４２】
可とう性表示パネル１１０は、平面モードＦＭで互いに平行に延びた第１及び第２長辺部１１０ａ、１１０ｂ、並びに、前記第１及び第２長辺部１１０ａ、１１０ｂに対して略垂直に延びた第１及び第２短辺部１１０ｃ、１１０ｄを備え、４つの角を有する略四角形の長方形形状に製作される。可とう性表示パネル１１０は、視聴者（ユーザ）が視聴しようとするＴＶ番組または映画などの映像情報を出力する。特に、第１及び第２長辺部１１０ａ、１１０ｂが水平方向により長く延伸して製作される場合には、画面を垂直に分割して２つ以上の映像を一つの表示装置１で同時に視聴することもできる。
【００４３】
本実施形態に係る表示装置１の可とう性表示パネル１１０は、平面モードＦＭから曲面モードＣＭに切り換えられることができる。曲面モードＣＭにおいて、可とう性表示パネル１１０は、パネルの中心部分Ｃから少なくとも一側の端部へ行くほど曲面の反り具合（反り程度）が増加する形状を有する。なお、可とう性表示パネル１１０の中心部分Ｃとは、可とう性表示パネル１１０の面内における略中心部分のことである。また、中心部分Ｃの延長線上とは、平面モードＦＭ時において、中心部分Ｃを通り、可とう性表示パネル１１０と略垂直な直線上の任意の位置を意味する。本実施形態において可とう性表示パネル１１０は、中心部分Ｃから水平方向の両側端部、即ち、第１及び第２短辺部１１０ｃ、１１０ｄの方向へ行くほど曲面の反り具合が対称的に増加する。すなわち、曲面モードＣＭにおいて、図２に示すように可とう性表示パネル１１０を上から見た場合には、可とう性表示パネル１１０が表す曲面の中心部分Ｃがあたかも一つの変曲点を構成し、第１短辺部１１０ｃから中心部分Ｃに向かうにつれて当該曲面の反り具合が徐々に減少し、中心部分Ｃから第２短辺部１１０ｄに向かうにつれて当該曲面の反り具合が徐々に増加する。ここで、曲面の反り具合（反り程度）とは、平面モードＦＭにおける第１及び第２短辺部１１０ｃ、１１０ｄと、曲面モードＣＭにおける第１及び第２短辺部１１０ｃ、１１０ｄとの、それぞれの離隔距離を意味する。
【００４４】
本実施形態のように可とう性表示パネル１１０が水平方向により長く延伸し、図２に示すように視聴者Ｖが表示装置１の略中心部分Ｃの延長線上に位置している場合には、平面モードＦＭにおける視聴者Ｖと第１及び第２短辺部１１０ｃ、１１０ｄとの距離ｒより、曲面モードＣＭにおける視聴者Ｖと第１及び第２短辺部１１０ｃ、１１０ｄとの距離Ｒの方が狭くなる（短くなる）。
【００４５】
可とう性表示パネル１１０が水平方向により長く延伸する場合、特に、表示装置１が大型の画面を有する場合には、視聴者Ｖと画面の中心部分Ｃとの距離と、視聴者Ｖと画面の端部との距離との距離差が大きくなるため、当該距離差に起因して視聴者Ｖに到逹する映像に体感的な速度差が発生し、映像の種類によっては視聴者Ｖの映像への没入感が低下する。しかし、本実施形態によれば、可とう性表示パネル１１０を平面モードＦＭから曲面モードＣＭに切り換えることで、平面モードＦＭの場合と比べて、視聴者Ｖと画面の端部との距離が狭められるため、視聴者Ｖの映像への没入感が高められる。
【００４６】
図３は、図１に示す表示装置１のＩＩＩ−ＩＩＩ線における断面図である。
【００４７】
図３を参照すると、可とう性表示パネル１１０は、第１可とう性基板１１１と、第１可とう性基板１１１に対向して配置される第２可とう性基板１１３と、当該第１可とう性基板１１１と当該第２可とう性基板１１３との間に配置される有機発光素子１１２と、を備える。
【００４８】
第１可とう性基板１１１は、ポリエチレンエーテルフタレート、ポリエチレンナフタレート、ポリカーボネート、ポリアリレート、ポリエーテルイミド、ポリエーテルスルホン、及びポリイミドなどのように耐熱性及び耐久性に優れたプラスチックを素材として形成される。しかし、本発明はかかる例に限定されず、第１可とう性基板１１１としては可とう性のある多様な素材が使われてよい。
【００４９】
第１可とう性基板１１１上にバリア膜（図示せず。）がさらに備えられてもよい。バリア膜（図示せず。）は、無機膜及び有機膜のうちの一つ以上の膜によって形成され得る。バリア膜（図示せず。）は、不要な成分が可とう性基板１１１を透過して有機発光素子１１２に浸透することを防止する。
【００５０】
図４は、図３に示す可とう性表示パネル１１０のＩＶ部分の拡大断面図である。
【００５１】
図４を参照すると、有機発光素子１１２は、画素電極１１２−１と、共通電極として形成される対向電極１１２−３と、当該画素電極１１２−１と当該対向電極１１２−３との間に備えられる有機発光層１１２−２とを含む。画素電極１１２−１は、第１可とう性基板１１１上に形成された駆動薄膜トランジスタ（ＴＦＴ）と電気的に連結される。図４には図示されていないが、有機発光素子１１２は、スイッチング薄膜トランジスタ及びストレージキャパシタに電気的に連結される。
【００５２】
有機発光素子１１２上に、当該有機発光素子１１２を封止する封止部材として、第２可とう性基板１１３が備えられる。第２可とう性基板１１３は、上述した第１可とう性基板１１１と同じ材料で形成されてもよく、または、複数の無機膜構造もしくは無機膜と有機膜とが混合された構造を有してもよい。一方、図３及び４には図示されていないが、第１可とう性基板１１１及び第２可とう性基板１１３には多様な保護部材がさらに備えられてもよい。
【００５３】
有機発光素子１１２は、画素電極１１２−１及び対向電極１１２−３に印加された電流によって有機発光層１１２−２に含まれた有機高分子または有機低分子が発光する自発光型素子であり、可とう性表示装置への適用に際して好適な長所を多く有する。もちろん本発明は有機発光素子のみに適用されるものではなく、可とう性を有する液晶素子にも適用され得るし、可とう性を有する他の表示素子にも適用され得る。
【００５４】
上述した可とう性表示パネル１１０は可とう性を有するため、それ単体では映像を視聴できる程度に当該パネルの形状を保持することが難しい可能性がある。そのため、本実施形態においては、可とう性表示パネル１１０の一側に形状変形／保持部１２０（形状変形保持部１２０）が備えられる。本実施形態において、形状変形／保持部１２０は、可とう性表示パネル１１０において映像が表示される面の反対側の面、例えば、第１可とう性基板１１１上に備えられる。
【００５５】
形状変形／保持部１２０は、平面モードＦＭ及び曲面モードＣＭの切り換え過程において可とう性表示パネル１１０の形状の変形を可能とするとともに、平面モードＦＭ及び曲面モードＣＭ間の相互の切り換えが完了した段階においては、可とう性表示パネル１１０に剛性を保持させる。このように、形状変形／保持部１２０は、可とう性表示パネル１１０の形状を変形させるとともにその形状を保持する。
【００５６】
図５は、図３に示す形状変形／保持部１２０の一例を示す図面である。
【００５７】
図５を参照すると、形状変形／保持部１２０は、第１電極１２１と第２電極１２２とを有し、当該第１電極１２１と当該第２電極１２２との間にはアクチュエータ１２３が配設される。
【００５８】
第１電極１２１は、アクチュエータ１２３の一面に一定の間隔で平行に多数の電極に分割されて配設され、第２電極１２２は、アクチュエータ１２３の他の一面に一つの電極として配設される。制御部（図示せず）の制御により、回路部１２４から多数の電極に分割されたそれぞれの第１電極１２１と第２電極１２２との間に所定の電圧Ｖ１、Ｖ２、Ｖ３が印加される。第１電極１２１のそれぞれ及び第２電極１２２に印加された電圧に応答してアクチュエータ１２３が所定の形状を取ることにより、形状変形／保持部１２０の一側に備えられた可とう性表示パネル１１０の曲面の反り具合が制御される。
【００５９】
例えば、第１レベルの電圧が印加された場合には、アクチュエータ１２３が形状を切り換えないことにより、可とう性表示パネル１１０の平面モードＦＭが保持される。また、第２レベルの電圧が印加された場合には、アクチュエータ１２３が形状を切り換えることにより、可とう性表示パネル１１０が曲面状に反らされて曲面モードＣＭに切り換えられる。また、第３レベルの電圧が印加された場合には、アクチュエータ１２３が第２レベルの電圧が印加された状態から形状を切り換えないことにより、曲面モードＣＭに切り換えられた可とう性表示パネル１１０の曲面形状が保持される。ここで、アクチュエータ１２３は、その形状が切り換えられない第１レベルの電圧及び第３レベルの電圧が印加された場合には所定の剛性を有し、その形状が切り換えられる第２レベルの電圧が印加された場合には所定の柔軟性を有する。このとき、第１レベルの電圧と第３レベルの電圧とは同一であってもよい。また、第１〜第３レベルの電圧は、特定の電圧値を有してもよく、または、特定の範囲の電圧値を有してもよい。このようなアクチュエータ１２３としては、電気応答型高分子または形状記憶合金などの多様な素材を適用可能である。また、形状変形／保持部１２０には、第１電極１２１及び第２電極１２２を保護する保護フィルム（図示せず。）がさらに備えられてもよい。
【００６０】
本実施形態では、可とう性表示パネル１１０を平面モードＦＭから曲面モードＣＭに切り換えるための第２レベルの電圧を、可とう性表示パネル１１０の中心部分Ｃを中心として両側端部へ行くほど一定の割合で増加または減少させるように形状変形／保持部１２０に印加することにより、可とう性表示パネル１１０の中心部分Ｃから水平方向の両側端部に向かう曲面の反り具合を中心部分Ｃに対して対称的に形成する。
【００６１】
図６は、視聴者Ｖが表示装置１の中心部分Ｃの延長線上から外れて位置している場合における、表示装置１と視聴者Ｖとの位置関係を概略的に示す上面図である。
【００６２】
図６の（ａ）を参照すると、視聴者Ｖが第１短辺部１１０ｃの比較的近くに位置している場合には、可とう性表示パネル１１０の中心部分Ｃと第２短辺部１１０ｄとの間の曲面の反り具合、すなわち、平面モードＦＭにおける第２短辺部１１０ｄと曲面モードＣＭにおける第２短辺部１１０ｄとの間の離隔距離Ｌ２は、中心部分Ｃと第１短辺部１１０ｃとの間の曲面の反り具合、すなわち、平面モードＦＭにおける第１短辺部１１０ｃと曲面モードＣＭにおける第１短辺部１１０ｃとの間の離隔距離Ｌ１よりも大きくなってもよい。このように、可とう性表示パネル１１０における視聴者Ｖからより遠く離れた第２短辺部１１０ｄ側の反り具合（中心部分Ｃから第２短辺部１１０ｄまでの曲面の反り具合）が、視聴者Ｖからより近くに位置する第１短辺部１１０ｃ側の反り具合（中心部分Ｃから第１短辺部１１０ｃまでの曲面の反り具合）よりも大きくてもよい。図６の（ａ）に示す状態では、制御部（図示せず。）は、図５に示すアクチュエータ１２３に対して、可とう性表示パネル１１０が平面モードＦＭから曲面モードＣＭに切り換えられる第２レベルの電圧を印加させるが、可とう性表示パネル１１０の中心部分Ｃから両側端部へ向かう方向において、その位置毎に印加される第２レベルの電圧の値が異なる値となるように調整することにより、可とう性表示パネル１１０の曲面の曲率の変化を制御する。
【００６３】
また、このように、視聴者Ｖが第１短辺部１１０ｃの比較的近くに位置している場合には、平面モードＦＭにおける視聴者Ｖと第１及び第２短辺部１１０ｃ、１１０ｄとの距離ｒよりも、曲面モードＣＭにおける視聴者Ｖと第１及び第２短辺部１１０ｃ、１１０ｄとの距離Ｒの方が狭くなってもよい。よって、平面モードＦＭの場合に比べて視聴者Ｖと画面の端部との距離が狭められるため、視聴者Ｖの映像への没入感が高められる。
【００６４】
一方、図６の（ｂ）を参照すると、視聴者Ｖが第２短辺部１１０ｄの比較的近くに位置している場合には、可とう性表示パネル１１０の中心部分Ｃと第１短辺部１１０ｃとの間の曲面の反り具合、すなわち、平面モードＦＭにおける第１短辺部１１０ｃと曲面モードＣＭにおける第１短辺部１１０ｃとの間の離隔距離Ｌ１は、中心部分Ｃと第２短辺部１１０ｄとの間の曲面の反り具合、すなわち、平面モードＦＭにおける第２短辺部１１０ｄと曲面モードＣＭにおける第２短辺部１１０ｄとの間の離隔距離Ｌ２よりも大きくなってもよい。このように、可とう性表示パネル１１０における視聴者Ｖからより遠く離れた第１短辺部１１０ｃ側の反り具合（中心部分Ｃから第１短辺部１１０ｃまでの曲面の反り具合）が、視聴者Ｖからより近くに位置する第２短辺部１１０ｄ側の反り具合（中心部分Ｃから第２短辺部１１０ｄまでの曲面の反り具合）よりも大きくてもよい。図６の（ｂ）に示す状態では、制御部（図示せず。）は、図５に示すアクチュエータ１２３に対して、可とう性表示パネル１１０が平面モードＦＭから曲面モードＣＭに切り換えられる第２レベルの電圧を印加させるが、可とう性表示パネル１１０の中心部分Ｃから両側端部へ向かう方向において、その位置毎に印加される第２レベルの電圧の値が異なる値となるように調整することにより、可とう性表示パネル１１０の曲面の曲率の変化を制御する。
【００６５】
また、このように、視聴者Ｖが第２短辺部１１０ｄの比較的近くに位置している場合には、平面モードＦＭにおける視聴者Ｖと第１及び第２短辺部１１０ｃ、１１０ｄとの距離ｒよりも、曲面モードＣＭにおける視聴者Ｖと第１及び第２短辺部１１０ｃ、１１０ｄとの距離Ｒの方が狭くなってもよい。よって、平面モードＦＭの場合に比べて視聴者Ｖと画面の端部との距離が狭められるため、視聴者Ｖの映像への没入感が高められる。
【００６６】
ここで、図６に示すように、視聴者Ｖが表示装置１の中心部分Ｃの延長線上から外れて位置している場合、可とう性表示パネル１１０の中心部分Ｃの空間上での位置が、平面モードＦＭと曲面モードＣＭとで一致しなくなる。つまり、可とう性表示パネル１１０の中心部分Ｃの空間上での位置が移動している。
【００６７】
もし、可とう性表示パネル１１０（又は表示装置１）における映像が具現される（表示される）面の反対側に十分な空間が存在する場合には、可とう性表示パネル１１０（又は表示装置１）をその中心軸周りに回転させて、上述した図２のように視聴者Ｖが可とう性表示パネル１１０と正面から対向するように曲面モードＣＭを具現することができる。しかし、例えば大型ＴＶにおいてよく見られるように、可とう性表示パネル１１０（又は表示装置１）における映像が具現される面の反対側に壁などの障害物が設けられている場合には、可とう性表示パネル１１０（又は表示装置１）を中心軸周りに回転させることが困難である。このような場合には、可とう性表示パネル１１０の中心部分Ｃの位置を移動させる必要が生じる。
【００６８】
ここで、再び図１を参照すると、表示装置１は、可とう性表示パネル１１０の荷重を支持するパネル支持部１３０をさらに備える。パネル支持部１３０は、可とう性表示パネル１１０と結合される軸台部１３１と、軸台部１３１と結合されて地面（床面）と水平に装着される基底部１３２と、を備える。もちろん、軸台部１３１は可とう性表示パネル１１０に直接結合されず、可とう性表示パネル１１０の一面に形成された上述した形状変形／保持部１２０に結合されてもよい。図６に示す場合のように、可とう性表示パネル１１０の中心部分Ｃの位置を移動させるためには、可とう性表示パネル１１０に結合された軸台部１３１を移動させればよい。
【００６９】
図７は、表示装置１のパネル支持部１３０の一例を示す図面である。
【００７０】
図７を参照すると、パネル支持部１３０は、可とう性表示パネル１１０の中心部分Ｃを平面内で移動させる移動ガイド部１３３を備える。制御部（図示せず。）は、移動ガイド部１３３を制御して軸台部１３１を第１方向Ｘ及び第２方向Ｙに所定の距離だけ移動させることができる。ただし、図７では、移動ガイド部１３３を、基底部１３２内に設けられ、軸台部１３１を第１方向Ｘ及び第２方向Ｙに移動させる機構として図示しているが、これは例示に過ぎず、移動ガイド部１３３は、可とう性表示パネル１１０の中心部分Ｃを平面内で移動させることができるならば、いかなる構造であってもよい。
【００７１】
一方、図１及び図７では、パネル支持部１３０が地面に載置される場合を例として図示しているが、本発明はかかる例に限定されるものではない。パネル支持部１３０は壁面に設けられてもよく、天井面に設けられてもよい。
【００７２】
図８は、本発明の第１実施形態に係る表示装置１の構成を概略的に示す機能ブロック図である。
【００７３】
図８を参照すると、表示装置１は、可とう性表示パネル１１０、形状変形／保持部１２０、パネル支持部１３０及び制御部１４０を備える。なお、図８では、図１〜図７を参照して上述した本発明の第１実施形態において行われる各機能に関連する構成について主に図示し、その他の構成については図示を省略している。表示装置１は、例えば表示を制御するための構成等の、一般的な表示装置が備える他の構成を更に備えてもよい。
【００７４】
制御部１４０は、上述した制御部に対応するものであり、形状変形／保持部１２０及びパネル支持部１３０を制御して可とう性表示パネル１１０のモードを切り換えたり、可とう性表示パネル１１０の曲面の反り具合を変更したり、可とう性表示パネル１１０の中心部分Ｃの位置を移動させたりする。
【００７５】
例えば、遠隔調整器１５１（リモコン１５１）を通じて視聴者が可とう性表示パネル１１０のモード切り換え命令を発生させると、入力部１５０によって受信された当該モード切り換え命令に係る制御命令は制御部１４０のモード制御部１４１に伝達される。モード制御部１４１は、形状変形／保持部１２０に所定のレベルの電圧を印加させて形状変形／保持部１２０の形状を切り換えることにより、可とう性表示パネル１１０における平面モードＦＭと曲面モードＣＭとを相互に切り換える。また、視聴者が遠隔調整器１５１を通じて可とう性表示パネル１１０の曲面の反り具合を変更する命令を発生させると、入力部１５０によって受信された当該曲面の反り具合を変更する命令に係る制御命令は制御部１４０の曲率制御部１４２に伝達される。曲率制御部１４２は、形状変形／保持部１２０の位置ごとに異なる値を有する電圧を印加させることにより、可とう性表示パネル１１０の曲面の反り具合を変化させる。また、視聴者が遠隔調整器１５１を通じて可とう性表示パネル１１０の中心部分Ｃの位置を移動させる命令を発生させると、入力部１５０によって受信された当該中心部分Ｃの位置を移動させる命令に係る制御命令は制御部１４０の位置制御部１４３に伝達される。位置制御部１４３は、パネル支持部１３０における移動ガイド部１３３の移動を制御して可とう性表示パネル１１０の中心部分Ｃの位置を移動させる。
【００７６】
なお、図８では、入力部１５０を介して遠隔調整器１５１によって制御部１４０に各種の制御命令を伝達する場合について図示しているが、本発明はかかる例に限定されるものではない。遠隔調整器１５１の代わりに人体の動きを利用して制御部１４０に制御命令を伝達することも可能である。例えば、表示装置１は、人体の動きをセンシングするためのセンサー（図示せず。）をさらに備えてもよい。例えば、当該センサー（図示せず。）は、顔面認識センサー、瞳孔認識センサー、または動作認識センサー等である。これらのセンサー（図示せず。）を用いてモード制御部１４１、曲率制御部１４２、及び位置制御部１４３の全部または一部に制御信号が伝達されてもよい。
【００７７】
以上説明した実施形態によれば、可とう性表示パネルを曲面モードにして画面を視聴することができるため、視聴者の映像への没入感を高めることができる。また、可とう性表示パネルの曲面モードと平面モードとが自在に切り換えられることにより、映像の種類に応じた好適なモードを選択することができ、視聴者のニーズを満たすことができる。また、視聴しないとき、または表示装置の移動時や船積み時には、可とう性表示パネルを平面モードに切り換えることにより、当該可とう性表示パネルにおける破れや割れなどの破損を防止することができる。
【００７８】
一方、上述した実施形態では、横方向の長さが縦方向の長さよりも長い長方形形状を有する可とう性表示パネル１１０を例として説明したが、本発明はかかるパネルの形状に限定されるものではない。よって、縦方向の長さが横方向の長さと同一の略正方形形状または縦方向の長さが横方向の長さよりも長い長方形形状を有する表示パネルにも適用され得る。
【００７９】
図９は、本発明の第２実施形態に係る表示装置２の平面モードＦＭ及び曲面モードＣＭを概略的に示す斜視図である。また、図１０は、図９に示す表示装置２を概略的に示す側面図である。
【００８０】
図９及び図１０を参照すると、表示装置２は、平面モードＦＭと曲面モードＣＭとを選択的に具現可能な可とう性表示パネル２１０（可撓性表示パネル２１０）を備える。なお、図９及び図１０では、簡単のため、第２実施形態に係る表示装置２の構成のうち可とう性表示パネル２１０を主に図示し、その他の構成については図示を省略している。第２実施形態に係る表示装置２の可とう性表示パネル２１０以外の構成は、上述した第１実施形態に係る表示装置１の可とう性表示パネル１１０以外の構成と同様であってもよい。
【００８１】
可とう性表示パネル２１０は、平面モードＦＭで互いに平行に延びた第１及び第２短辺部２１０ａ、２１０ｂ、並びに、第１及び第２短辺部２１０ａ、２１０ｂに対して略垂直に延びた第１及び第２長辺部２１０ｃ、２１０ｄを備え、４つの角を有する略四角形の長方形形状に製作される。図９及び図１０では、地面に対して垂直に互いに平行に延びた第１及び第２長辺部２１０ｃ、２１０ｄが、第１及び第２短辺部２１０ａ、２１０ｂよりも長く、すなわち、横方向の長さよりも縦方向の長さの方が長い長方形として可とう性表示パネル２１０が図示されているが、本発明はかかる例に限定されるものではない。本発明は、横方向の長さが縦方向の長さよりも長い矩形状の表示パネル、または正方形の矩形状の表示パネルにも適用できるということはいうまでもない。
【００８２】
本実施形態に係る表示装置２の可とう性表示パネル２１０は、図９及び図１０に示すように、平面モードＦＭから曲面モードＣＭに切り換わる際に、可とう性表示パネル２１０の垂直方向に位置する一側の端部、例えば第１短辺部２１０ａの方へ行くほど曲面の反り具合が増加するように、その曲面が形成される。
【００８３】
第２の実施形態において、視聴者Ｖが斜めに寄りかかった姿勢または横になった姿勢で表示装置２の画面を視聴し、かつ、視聴者Ｖが表示装置２の中心部分Ｃの略直下の方向であって可とう性表示パネル２１０を見上げる場所に位置している場合には、表示パネル上部の第１短辺部２１０ａ近傍における曲面が調節される。また、可とう性表示パネル２１０の中心部分の位置が垂直方向、図９及び図１０に示す例では上方向に移動するように調節される。これにより、図９に示すように、平面モードＦＭにおける視聴者Ｖと第１及び第２長辺部２１０ｃ、２１０ｄとの距離ｒより、曲面モードＣＭにおける視聴者Ｖと第１及び第２長辺部２１０ｃ、２１０ｄとの距離Ｒの方が狭くなる。よって、視聴者Ｖが斜めに寄りかかった姿勢または横になった姿勢で映像を視聴する場合であっても、平面モードＦＭの状態に比べて視聴者Ｖと画面の端部との距離が狭められ、視聴者Ｖの映像に対する没入感が高められる。
【００８４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８５】
なお、上述した各図面に示した各構成要素は、説明の便宜上拡大または縮小して表示されていてもよく、図面に示した構成要素のサイズや形状によって本発明が限定されるものではない。当業者ならば、これらの図面から多様な変形及び均等な他の実施形態が可能であるという点を理解できるであろう。したがって、本発明の真の技術的保護範囲は特許請求の範囲の技術的思想によって定められねばならない。
【産業上の利用可能性】
【００８６】
本発明は、表示装置関連の技術分野に好適に用いられる。
【符号の説明】
【００８７】
１    表示装置
１１０    可とう性表示パネル
１２０    形状変形／保持部
１３０    パネル支持部
１４０    制御部
１５０    入力部
ＦＭ    平面モード
ＣＭ    曲面モード
【図１】
0006305695.tif 000002
【図２】
0006305695.tif 000003
【図３】
0006305695.tif 000004
【図４】
0006305695.tif 000005
【図５】
0006305695.tif 000006
【図６】
0006305695.tif 000007
【図７】
0006305695.tif 000008
【図８】
0006305695.tif 000009
【図９】
0006305695.tif 000010
【図１０】
0006305695.tif 000011